(57)【要約】【課題】各種電子機器に用いられるリモコン送信機に関し、簡易な構成で、遠隔操作が確実で操作性に優れたものを提供することを目的とする。【解決手段】スイッチ接点２がオンからオフになった時、制御手段１３が送信フォーマットの途中でもリモコン信号の送信を停止することによって、例えば、送信フォーマットＳ３の途中で操作がオフとなった場合、そのままのリモコン信号が送信され、機器が最後の半端な送信フォーマットＬには反応しないため、設定ずれが生じにくくなり、所望の設定値に容易に合わせ易く、遠隔操作が確実で操作性に優れたリモコン送信機を得ることができる。【選択図】図１
2007028032.tif 000002
【特許請求の範囲】
【請求項１】
キーの操作によって電気的接離を行うスイッチ接点と、このスイッチ接点がオンの間、所定の送信フォーマットが繰返し連続するリモコン信号を送信手段から送信する制御手段からなり、前記スイッチ接点がオンからオフになった時、前記制御手段が送信フォーマット途中でもリモコン信号の送信を停止するリモコン送信機。
【請求項２】
キーが瞬間操作され、スイッチ接点が一つ目の送信フォーマット途中でオフになった時、制御手段が一つ目の送信フォーマットのみは全て送信する請求項１記載のリモコン送信機。
【請求項３】
制御手段がスイッチ接点のオフ時間を検出すると共に、所定時間以上オフの後オンとなった時、これが一つ目の送信フォーマット途中でも、制御手段が一つ目の送信フォーマットのみは全て送信する請求項１記載のリモコン送信機。
【発明の詳細な説明】
【技術分野】
【０００１】
本発明は、屋内や自動車内でエアコンやオーディオ、テレビなどの各種電子機器の遠隔操作に用いられるリモコン送信機に関するものである。
【背景技術】
【０００２】
近年、屋内や自動車内で遠隔操作される様々な電子機器が増える中、遠隔操作が確実に行え操作性の良好なリモコン送信機が求められている。
【０００３】
このような従来のリモコン送信機について、図３及び図４を用いて説明する。
【０００４】
図３は従来のリモコン送信機の概要図であり、同図において、１は操作手段で、ケース上面から突出した複数の押圧操作用のキー１Ａと、このキー１Ａの下方に配置されたゴム製の可動接点体（図示せず）や配線基板（図示せず）上の固定接点から形成され、キー１Ａへの押圧操作によって電気的接離を行うスイッチ接点２から形成されている。
【０００５】
そして、３は配線基板上にマイコンや各種電子部品によって形成された制御手段で、スイッチ接点２からのオン信号に応じてビットデータからなる所定の送信フォーマットを作成する。
【０００６】
また、４は赤外線発光ダイオード等の送信手段で、制御手段３からの送信フォーマットに基づいて赤外線のリモコン信号を送信するようにしてリモコン送信機５が構成されている。
【０００７】
以上の構成において、例えばエアコン等の電子機器６の設定温度を上げたい場合、リモコン送信機５の温度アップ用のキー１Ａを押圧操作すると、この下方のスイッチ接点２がオンとなり、図４（ａ）のリモコン信号波形図に示すように、スイッチ接点２がオンし続けている間は、温度アップ用で同じ波形の送信フォーマットＲ１、Ｒ２、Ｒ３及びＲ４が繰返し連続するリモコン信号が、制御手段３によって送信手段４から送信される。
【０００８】
そして、このリモコン信号を電子機器６の受信手段７が受信し、機器制御手段８が受信した送信フォーマット数に応じて、ＬＣＤ等の表示手段９に表示された温度を変化させると共に、駆動手段１０を駆動して機器の設定温度をアップさせる。
【０００９】
なお、このようなリモコン送信機５は、図４（ｂ）の操作手段の信号波形図に示すように、キー１Ａへの押圧操作が瞬間的、つまりキー１Ａを押圧した後すぐ離す瞬間操作が行われ、スイッチ接点２のオン時間が一つの送信フォーマットＲ１の時間より短い場合にも、操作したつもりが操作されていない誤操作を防ぐため、図４（ｃ）に示すように、一つ目の送信フォーマットＲ１のみは送信され、例えば設定温度が１度上がるように構成されている。
【００１０】
したがって、例えば、エアコンの現在の設定温度が２０度で、２度高い２２度に温度を上げようとする場合、電子機器６の表示手段９の表示温度を確認しながら、温度アップ用のキー１Ａをオン操作し、その操作時間が二つの送信フォーマットＲ１、Ｒ２分とちょうど同じであれば、表示手段９の表示温度が２度上がって２２度となり、電子機器６の設定温度も２２度となる。
【００１１】
しかし、この時、表示手段９が２２度を示した時点で、キー１Ａへの押圧を止めた場合、図４（ｄ）及び図４（ｅ）に示すように、すでにスイッチ接点２のオン時間は三つ目の送信フォーマットＲ３の途中になっているため、リモコン送信機５からは三つの送信フォーマットＲ１、Ｒ２、Ｒ３が送信され、電子機器６の設定温度は２２度より１度高い２３度となってしまう。
【００１２】
そして、この後、温度を１度下げ２２度に設定し直そうと、温度ダウン用の他のキー１Ａをオン操作した場合にも、電子機器６の表示手段９の表示温度を見ながら操作を行った場合、同様に今度は温度が下がりすぎてしまう等、設定ずれが生じ易く、所望の温度に合わすのに手間がかかるものであった。
【００１３】
さらに、自動車内において、リモコン送信機５でカーエアコンやカーオーディオなどの電子機器６を遠隔操作する場合、通常電子機器６の受信手段７と、機器制御手段８や表示手段９及び駆動手段１０の間が離れており、車内ＬＡＮ等によってこれらの間の通信が行われ通信に時間を要するため、キー１Ａの操作と電子機器６の反対の時間ずれが大きくなり、屋内で使用される電子機器に比べ遠隔操作による設定ずれが生じ易い。
【００１４】
なお、この出願の発明に関連する先行技術文献情報としては、例えば、特許文献１が知られている。
【特許文献１】特開２００２−１７６６８２号公報
【発明の開示】
【発明が解決しようとする課題】
【００１５】
このように、上記従来のリモコン送信機においては、エアコンの温度やラジオの周波数などの各種電子機器の様々な設定を行う際、キー１Ａによるスイッチ接点２の操作と電子機器の設定ずれが生じ易く、所望の設定値に合わすのに手間がかかり時間を要するという課題があった。
【００１６】
本発明は、このような従来の課題を解決するものであり、遠隔操作が確実で操作性に優れたリモコン送信機を提供することを目的とする。
【課題を解決するための手段】
【００１７】
上記目的を達成するために本発明は、以下の構成を有するものである。
【００１８】
本発明の請求項１に記載の発明は、スイッチ接点がオンからオフになった時、制御手段が送信フォーマット途中でもリモコン信号の送信を停止するようにしてリモコン送信機を構成したものであり、幾つ目かの送信フォーマットの途中で操作がオフとなった場合、そのままのリモコン信号が送信され、機器がこの半端な送信フォーマットには反応しないため、設定ずれが生じにくくなり、所望の設定値に容易に合わせ易く、遠隔操作が確実で操作性に優れたリモコン送信機を得ることができるという作用を有する。
【００１９】
請求項２に記載の発明は、請求項１記載の発明において、キーが瞬間操作され、スイッチ接点が一つ目の送信フォーマット途中でオフになった時、制御手段が一つ目の送信フォーマットのみは全て送信するものであり、瞬間的にキーを押圧操作した際にも、確実に電子機器を遠隔操作することができるという作用を有する。
【００２０】
請求項３に記載の発明は、請求項１記載の発明において、制御手段がスイッチ接点のオフ時間を検出すると共に、所定時間以上オフの後オンとなった時、これが一つ目の送信フォーマット途中でも、制御手段が一つ目の送信フォーマットのみは全て送信するものであり、キーへの瞬間操作を連続して行った際にも、送信フォーマットが重なって送信される等の誤操作を防ぎ、電子機器の遠隔操作を確実に行うことができるという作用を有する。
【発明の効果】
【００２１】
以上のように本発明によれば、簡易な構成で、確実な遠隔操作が可能なリモコン送信機を得ることができるという有利な効果が得られる。
【発明を実施するための最良の形態】
【００２２】
以下、本発明の実施の形態について、図１及び図２を用いて説明する。
【００２３】
なお、背景技術の項で説明した構成と同一構成には同一符号を付して、詳細な説明を簡略化する。
【００２４】
（実施の形態）
図１は本発明の一実施の形態によるリモコン送信機の概要図であり、同図において、１は操作手段で、ケース上面から突出した複数の押圧操作用のキー１Ａと、このキー１Ａの下方に配置されたゴム製の可動接点体（図示せず）や配線基板（図示せず）上の固定接点から形成され、キー１Ａへの押圧操作によって電気的接離を行うスイッチ接点２から形成されている。
【００２５】
そして、１３は配線基板上にマイコンや各種電子部品によって形成された制御手段で、スイッチ接点２からのオン信号に応じて所定の送信フォーマットを作成する。
【００２６】
なお、送信フォーマットはフォーマットのスタートを示すヘッダーや、遠隔操作対象機器を識別するカスタムコード、及びどの機能をどのように制御するかを指示するデータコード等が連なったビットコードから形成され、約１２０ミリ秒から１５０ミリ秒の長さで１セットのフォーマットが形成される。
【００２７】
また、１４は赤外線発光ダイオード等の送信手段で、制御手段１３からの送信フォーマットに基づいて赤外線のリモコン信号を送信するようにしてリモコン送信機１５が構成されている。
【００２８】
以上の構成において、例えばエアコン等の電子機器６の設定温度を上げたい場合、リモコン送信機１５の温度アップ用のキー１Ａを押圧操作すると、この下方のスイッチ接点２がオンとなり、図２（ａ）のリモコン信号波形図に示すように、スイッチ接点２がオンし続けている間は、温度アップ用で同じ波形の送信フォーマットＳ１、Ｓ２、Ｓ３及びＳ４が繰返し連続するリモコン信号が、制御手段１３によって送信手段１４から送信される。
【００２９】
そして、このリモコン信号を電子機器６の受信手段７が受信し、機器制御手段８が受信した送信フォーマット数に応じて、ＬＣＤ等の表示手段９に表示された温度を変化させると共に、駆動手段１０を駆動して機器の設定温度をアップさせる。
【００３０】
また、例えば、エアコンの現在の設定温度が２０度で、２度高い２２度に温度を上げようとする場合、電子機器６の表示手段９の表示温度を確認しながら、温度アップ用のキー１Ａをオン操作し、その操作時間が二つの送信フォーマットＳ１、Ｓ２分とちょうど同じであれば、表示手段９の表示温度が２度上がって２２度となり、電子機器６の設定温度も２２度となる。
【００３１】
しかし、この時、電子機器６の表示手段９の表示温度を見ながらキー１Ａをオン操作し、表示手段９が２２度を示した時点で、キー１Ａへの押圧を止めると、図２（ｂ）に示すように、実際のスイッチ接点２のオン時間は、図２（ｃ）に示すように、三つ目の送信フォーマットＳ３の途中になっている場合があるが、本発明においては、この途中の半端な送信フォーマットＬがそのまま送信される。
【００３２】
つまり、スイッチ接点２が三つ目の送信フォーマットＳ３の途中でオンからオフになった場合には、制御手段１３が送信フォーマット途中でもリモコン信号の送信を停止し、リモコン送信機１５からは二つの送信フォーマットＳ１、Ｓ２と、正規のビットコードではない送信フォーマットＬが電子機器６へ送信される。
【００３３】
そして、このリモコン信号を電子機器６の受信手段７が受信すると、機器制御手段８は二つの送信フォーマットＳ１とＳ２については反応するが、送信フォーマットＬは正規のビットコードではないため、これには反応せず、送信フォーマットＳ１とＳ２の２度分だけ駆動手段１０が駆動され、電子機器６の設定温度が２２度となる。
【００３４】
ただし、図２（ｄ）の左方に示すように、キー１Ａへの押圧操作が瞬間的、つまりキー１Ａを押圧した後すぐ離す瞬間操作が行われ、スイッチ接点２のオン時間が一つ目の送信フォーマットＳＩの時間より短い場合には、操作したつもりが操作されていない誤操作を防ぐため、図２（ｅ）に示すように、一つ目の送信フォーマットＳ１のみは送信されるように構成されている。
【００３５】
つまり、キー１Ａが瞬間操作され、スイッチ接点２が一つ目の送信フォーマットＳ１途中でオフになった時には、制御手段１３が一つ目の送信フォーマットＳ１のみは途中で中断せず、１セット全てを送信し、機器の設定温度が１度上がるようになっている。
【００３６】
また、図２（ｄ）に示すように、キー１Ａの瞬間操作を２回繰返して設定温度を２度上げるような操作が行われ、一回目と二回目のオン操作間のオフ時間Ｔが所定時間以上空いている場合には、制御手段１３がこのスイッチ接点２のオフ時間Ｔを検出し、送信フォーマットＳ２の途中でオフになっていても、送信フォーマットＳ２のみは全て送信される。
【００３７】
つまり、制御手段１３がスイッチ接点２の一回目の操作後のオフ時間Ｔを検出すると共に、所定時間以上オフされてから二回目の操作が行われ、スイッチ接点２が再びオンとなった場合には、これが一つ目の送信フォーマットＳ２の途中でオフになっていても、送信フォーマットＳ２のみは１セット全てを送信するように構成されている。
【００３８】
従って、所定間隔で瞬間操作が２回繰返された場合には、送信フォーマットＳ２とＳ３がリモコン送信機１５から電子機器６へ送信されて、設定温度が２度上がり、設定温度が２２度となる。
【００３９】
このように本実施の形態によれば、スイッチ接点２がオンからオフになった時、制御手段１３が送信フォーマットの途中でもリモコン信号の送信を停止することによって、例えば、送信フォーマットＳ３の途中で操作がオフとなった場合、そのままのリモコン信号が送信され、機器が最後の半端な送信フォーマットＬには反応しないため、設定ずれが生じにくくなり、所望の設定値に容易に合わせ易く、遠隔操作が確実で操作性に優れたリモコン送信機を得ることができるものである。
【００４０】
また、キー１Ａが瞬間操作され、スイッチ接点２が例えば一つ目の送信フォーマットＳ１途中でオフになった時には、制御手段１３が一つ目の送信フォーマットＳ１のみは全て送信することによって、瞬間的にキー１Ａを押圧操作した際にも、確実に電子機器を遠隔操作することができる。
【００４１】
さらに、制御手段１３がスイッチ接点のオフ時間Ｔを検出すると共に、所定時間以上オフの後オンとなった時には、これが一つ目の送信フォーマットＳ２の途中でも、送信フォーマットＳ２のみは全て送信することによって、キー１Ａへの瞬間操作を連続して行った際にも、送信フォーマットが重なって送信される等の誤操作を防ぎ、電子機器の遠隔操作を確実に行うことができる。
【００４２】
なお、オフ時間Ｔが所定時間継続されたと制御手段１３が判断する際の時間としては、上述した送信フォーマットのピットコードの１セットの時間、約１２０〜１５０ミリ秒と２００ミリ秒の間が望ましい。
【００４３】
また、以上の説明では、赤外線によるリモコン信号によって電子機器を遠隔操作する構成について説明したが、電波により遠隔操作するリモコン送信機においても本発明の実施は可能である。
【産業上の利用可能性】
【００４４】
本発明によるリモコン送信機は、簡易な構成で、遠隔操作が確実で操作性に優れたものを得ることができ、主に屋内や自動車内の電子機器の遠隔操作に用いられるリモコン送信機等に有用である。
【図面の簡単な説明】
【００４５】
【図１】本発明の一実施の形態によるリモコン送信機の概要図
【図２】同信号波形図
【図３】従来のリモコン送信機の概要図
【図４】同信号波形図
【符号の説明】
【００４６】
１  操作手段
１Ａ  キー
２  スイッチ接点
６  電子機器
７  受信手段
８  機器制御手段
９  表示手段
１０  駆動手段
１３  制御手段
１４  送信手段
１５  リモコン送信機
【図１】
2007028032.tif 000003
【図２】
2007028032.tif 000004
【図３】
2007028032.tif 000005
【図４】
2007028032.tif 000006